(57)【要約】【課題】本発明では、循環用ポンプなどを備えることなしに、光の動きや変化に富んだ演出効果の高い演出用スタンドを提供することを目的とする。【解決手段】注ぎ込まれた発光液などの液体を受ける液体受部１３を備え、上記液体を貯液することにより内部が発光する貯液部１４を、上記液体受部１３と内部を連通させて設け、装飾性の有する装飾部１５を、少なくとも上記貯液部１４の外側に配設してなる演出用スタンド１０を構成する。【選択図】図１
2008210772.tif 000002
【特許請求の範囲】
【請求項１】
注ぎ込まれた液体を受ける液体受部を備え、
上記液体を貯液することにより内部が発光する貯液部を、上記液体受部と内部において連通させて設け、
装飾性の有する装飾部を、少なくとも上記貯液部の外側に配設した
演出用スタンド。
【請求項２】
上記液体は、発光液である
請求項１に記載の演出用スタンド。
【請求項３】
上記貯液部の内部に、発光体を備え、
上記液体は、上記発光体の発光を誘発する発光誘発液体である
請求項１に記載の演出用スタンド。
【請求項４】
上記液体受部を、上部に備え、
上記貯液部を、上記液体受部の下部に備えた
請求項１から請求項３のうちいずれか１項に記載の演出用スタンド。
【請求項５】
上記液体受部の内側から外周へ向けて段状に高くなる段部を設け、
上記液体受部の上記各段部に、複数の上記貯液部をそれぞれ連通させた
請求項１から請求項４のうちいずれか１項に記載の演出用スタンド。
【請求項６】
上記液体受部の外周全体に、上記連通部の縁部より上下方向に高い縁部を備えた
請求項１から請求項５のうちいずれか１項に記載の演出用スタンド。
【請求項７】
上記液体受部の底部に、中央から上記貯液部との上記連通部に至る液体の流路を避けて上方に凸の隔壁部を設けた
請求項１から請求項６のうちいずれか１項に記載の演出用スタンド。
【請求項８】
上記液体受部を平面視中央部に備え、
上記貯液部を、上記液体受部の外側に備え、
上記液体受部における上下各部に、複数の上記貯液部をそれぞれ連通させた
請求項１から請求項３のうちいずれか１項に記載の演出用スタンド。
【請求項９】
上記液体受部に注ぎ込まれる前に注ぎ込まれた液体を受ける液体直前受部を、該液体直前受部の外側を経由して上記液体受部へと液体が流入可能に上記液体受部の上方に設けた
請求項１から請求項８のうちいずれか１項に記載の演出用スタンド。
【請求項１０】
上記液体受部に注ぎ込まれた液体が一定量になるまで一部の上記貯液部に流入することを遮断する開閉シャッターを設けた
請求項１から請求項９のうちいずれか１項に記載の演出用スタンド。
【請求項１１】
上記貯液部を、上記液体受部に対して着脱可能に構成した
請求項１から請求項１０のうちいずれか１項に記載の演出用スタンド。
【請求項１２】
複数の電気的発光手段を上記液体受部に装着すると電気的に接続される接点を上記電気的発光手段と上記液体受部とにそれぞれ備え、
複数の上記電気的発光手段のＯＮ／ＯＦＦ操作を一括集中して行うスイッチを設けた
請求項１１に記載の演出用スタンド。
【請求項１３】
上記貯液部を中心とする外周側に、大きさの異なる環状枠体を複数段に着脱自在に備え、
上記環状枠体に多数の装飾部を吊支して環状配置した
請求項１から請求項１２のうちいずれか１項に記載の演出用スタンド。
【請求項１４】
上記液体受部を囲む外周側に、上下方向に螺旋状に配置した螺旋状枠体と、
上記螺旋状枠体に吊支して螺旋状に配置した多数の装飾部と、
上記螺旋状に配置された装飾部の内周面側に沿って配置された透光性を有する螺旋管とで構成され、
上記螺旋管は、底部で折り返して二重に配置され、一端が上記液体受部に連通され、他端が上記液体受部の高さより高く配置された
請求項１から請求項１２のうちいずれか１項に記載の演出用スタンド。
【請求項１５】
上記装飾部は、吊支される下方に複数の装飾小片を上下方向に連続させて構成された
請求項１３または請求項１４に記載の演出用スタンド。
【発明の詳細な説明】
【技術分野】
【０００１】
この発明は、結婚式などの式典、及び、パーティなどのイベントにおいて使用される演出用スタンドであり、さらに詳しくは、発光液などの液体を用いた演出用スタンドに関する。
【背景技術】
【０００２】
例えば、発光液を用いた演出用器材としては、例えば、下記特許文献１に「発光液循環装置」が開示されている。
【０００３】
上記「発光液循環装置」は、装飾性の高い複数のガラス材を充填した液体循環容器、並びに、該液体循環容器に連通させた送液管、及び、吸液管を具備した発光部を有している。この発光部は、循環用ポンプにより発光液を循環させる経路の一部を構成している。この循環用ポンプは、光量検出センサや、タイマーにより制御される。
【０００４】
上記「発光液循環装置」は、発光液が上記発光部を通過する際、ガラス材の表面を流れ落ちるため、ガラス材の形状を浮かび上がらせることができ、流動的な光を発することができるといった効果を有する。
【０００５】
確かに、上記「発光液循環装置」は、発光液を循環させることにより、ある程度の流動的な光の動きを見せることが可能であるが、以下のような課題を有する。
【０００６】
発光液は、発光部において多数のガラス材の表面を流れ落ちるため、多数の小さなガラス材が発光液で濡れてしまい、ガラス材の乾燥、発光液の回収などといった後片付けに手間を要してしまうという課題がある。
【０００７】
【特許文献１】特開２００６−１６４５５０号公報
【発明の開示】
【発明が解決しようとする課題】
【０００８】
そこで本発明では、循環用ポンプなどを備えることなしに、光の動きや変化に富んだ演出効果の高い演出用スタンドの提供を目的とする。
【課題を解決するための手段】
【０００９】
本発明の演出用スタンドは、注ぎ込まれた液体を受ける液体受部を備え、上記液体を貯液することにより内部が発光する貯液部を、上記液体受部と内部において連通させて設け、装飾性の有する装飾部を、少なくとも上記貯液部の外側に配設したことを特徴とする。
【００１０】
上記液体受部は、注ぎ込まれた液体が貯液された状態で受け止めることが可能な例えば、底が深い凹状の形態で形成することができる。その他にも、上記液体受部は、その表面を流下させたり伝わせたりしながら注ぎ込まれた液体を受けることが可能な例えば、底が浅い皿状、板状の形態、或いは、錐体などの上方へ向けて突き出した形態で形成することもできる。
【００１１】
上記装飾部は、複数の装飾小片により構成することが好ましく、さらに、上記装飾小片は、例えば、クリスタルガラス片、ビー球、ビーズ、フィルム片など装飾性の有する小片で形成することができる。
【００１２】
本発明の演出用スタンドは、上記液体受部に注ぎ込む液体が発光液である場合、注ぎ込まれた発光液が貯液部に貯液され、この貯液された発光液が発した光が外側に配した装飾部を照らす。これにより、例えば、装飾小片などの装飾部を濡らすことなく幻想的な演出効果を得ることができる。
【００１３】
また、上記貯液部の内部に、発光体を備えた場合は、上記液体を、上記発光体の発光を誘発する発光誘発液体に設定することができる。
【００１４】
ここで発光体とは、発光誘発液体に通電（接触）することにより自発的に発光する通電式のＬＥＤなどの公知の部材を用いている。  
上記発光誘発液体とは、例えば、水などの液体を挙げることができる。
【００１５】
本発明の演出用スタンドは、上記液体受部に注ぎ込む液体が発光誘発液体である場合、注ぎ込まれた発光誘発液体が貯液部に貯液されることにより貯液部の内部に備えた発光体が発光し、貯液部の外側に配した装飾部を照らす。これにより、例えば、装飾小片などの装飾部を濡らすことなく幻想的な演出効果を得ることができる。
【００１６】
このように、上記液体として、上記発光体の発光を誘発する発光誘発液体を適用する場合、例えば、水などの液体を用いることができるため、繰り返し用いる場合にコストを低兼に抑えることができ、掃除も容易であるといったメリットを有する。
【００１７】
本発明の演出用スタンドは、上記液体受部を、上部に備え、上記貯液部を、上記液体受部の下部に備えて構成することができる。
【００１８】
上述した構成により、液体自体の重力を利用することができる。すなわち、液体の下側に貯液部を備えて構成できるため、上記液体受部へ注ぎ込んだ液体が、それ自体の重力により、上記液体受部から上記貯液部へ流れ込み易く構成することができる。
【００１９】
本発明の演出用スタンドは、上記液体受部の内側から外周へ向けて段状に高くなる段部を設け、上記液体受部の上記各段部に、複数の上記貯液部をそれぞれ連通させて構成することが好ましい。
【００２０】
上記構成により、液体は、まずは上記液体受部の内側に有する貯液部に貯液され、その後、外側に有する貯液部に貯液される。この液体の一連の流れにより、上記演出用スタンドは、時間経過とともに内側から外側へ徐々に発光量を増して装飾部を照らすことができるため、より一層、光による動的、且つ、変化に富んだ効果的な演出が可能となる。
【００２１】
なお、複数の上記貯液部は、上記液体受部における全ての段部に構成するに限らず、所定の段部にのみ構成してもよい。
【００２２】
また、本発明の演出用スタンドは、上記液体受部の外周全体に、上記連通部の縁部より上下方向に高い縁部を構成したことを特徴とする。
【００２３】
上記構成により、演出用スタンドが多少傾いた状態で設置されても、液体受部に注ぎ込まれた液体が溢れてしまうことがなく、確実に貯液部に貯液させることができる。
【００２４】
さらに、本発明の演出用スタンドは、上記液体受部の底部に、中央から上記貯液部との上記連通部に至る液体の流路を避けて上方に凸の隔壁部を設けた構成であることが好ましい。
【００２５】
上記演出用スタンドは、注ぎ込まれた液体を、不必要に上記液体受部の底部全体に充填してしまうことがなく、貯液部の内部に流入させることができるため、液体の使用量を削減することができる。
【００２６】
また、本発明の演出用スタンドは、上記液体受部を平面視中央部に備え、上記貯液部を、上記液体受部の外側に備え、上記液体受部における上下各部に、複数の上記貯液部をそれぞれ連通させて構成してもよい。
【００２７】
上記構成により、平面視中央部に有する上記液体受部に液体が注ぎ込まれ、上記液体受部における貯液部を連通させた部位の高さ位置の違いにより、各貯液部へ液体が流れ込ませる時間に差異を設けることができる。すなわち、この構成においても、各貯液部に液体を貯液させることにより発光させるという時間差を活かした演出が可能となる。
【００２８】
また、上記液体受部を平面視中央部に有して構成することにより、液体受部を不要に大きな容量で構成する必要がない。このため、演出の際に液体の使用量を少なくすることができる。
【００２９】
さらにまた、本発明の演出用スタンドは、上記液体受部に注ぎ込まれる前に注ぎ込まれた液体を受ける液体直前受部を、該液体直前受部の外側部位を経由して上記液体受部へと液体が流入可能に上記液体受部の上方に設けて構成することもできる。
【００３０】
例えば、注ぎ込む液体が発光液である場合、或いは、液体が発光誘発液体であり、且つ、上記液体直前受部に発光体を備えた場合、注ぎ込まれた液体が上記液体受部に流入する前に、該液体を液体直前受部が受け、その後、液体直前受部から溢れ出た該液体を、液体直前受部の表面を伝って上記液体受部に流入させることができる。  
よって、上記液体受部に液体を注ぎ込む様子も、演出の１つとして用いることができ、また、上記液体受部の上部の視認性も向上させることができる。
【００３１】
また、本発明の演出用スタンドは、上記液体受部に注ぎ込まれた液体が一定量になるまで一部の上記貯液部に流入することを遮断する開閉シャッターを設けることもできる。
【００３２】
上記構成により、液体は、まずはシャッターにより遮断されない側の貯液部に貯液され、その後、外側に有する貯液部に貯液される。すなわち、上記液体受部に上述した段部を設けなくとも、時間経過とともに内側から発せられる発光量を徐々に増すことが可能となる。
【００３３】
また、本発明の演出用スタンドは、上記貯液部を、上記液体受部に対して着脱可能に構成することができる。  
上記構成により、様々な形態の貯液部と交換することができる。
【００３４】
さらに、本発明の演出用スタンドは、複数の電気的発光手段を上記液体受部に装着すると電気的に接続される接点を上記電気的発光手段と上記液体受部とにそれぞれ備え、複数の上記電気的発光手段のＯＮ／ＯＦＦ操作を一括集中して行うスイッチを設けることが好ましい。
【００３５】
上記電気的発光手段は、例えば、電球、蛍光灯、ハロゲンランプ、ＬＥＤランプなどを挙げることができる。
【００３６】
上記構成により、スイッチを用いて複数の電気的発光手段の一括したＯＮ／ＯＦＦ操作を容易に行うことができる。また、発光する態様、発光量を容易に変更することができる。
【００３７】
また、本発明の演出用スタンドは、上記貯液部を中心とする外周側に、大きさの異なる環状枠体を複数段に着脱自在に備え、上記環状枠体に多数の装飾部を吊支して環状配置することができる。
【００３８】
このように貯液部に対して大きさの異なる複数の環状枠体を着脱自在にして組み付けることができ、また取外すことができる。よって、演出用スタンドを使用する際は、貯液部に各環状枠体を組み付けるだけで演出用スタンドを構築することができる。一方、演出用スタンドの不使用時には貯液部から各環状枠体を取外して分解できるので、貯液部と各環状枠体とに分解された個々の部品として取扱うことができ、運搬、管理が容易になる。さらに、各環状枠体の周囲に吊支された環状の立体的な装飾部によって、各環状枠体の装飾性を高めることができ、さらに中心部の貯液部からの発光と、その光を外周空間部で受けた装飾部とによる内側と外側で発光及び反射させるという光の相乗効果を高めて一層煌びやかな豪華な装飾となる。
【００３９】
また、本発明の演出用スタンドは、上記液体受部を囲む外周側に、上下方向に螺旋状に配置した螺旋状枠体と、上記螺旋状枠体に吊支して螺旋状に配置した多数の装飾部と、上記螺旋状に配置された装飾部の内周面側に沿って配置された透光性を有する螺旋管とで構成され、上記螺旋管は、底部で折り返して二重に配置され、一端が上記液体受部に連通され、他端が上記液体受部の高さより高く配置された構成にすることができる。
【００４０】
上記構成により、装飾部を螺旋状に配置することができるので立体的な装飾空間をより豪華に醸し出すことができる。また、液体受部より螺旋管内に発光液を注入した際は、螺旋管からの発光と、その光を受けた螺旋状の装飾部とによる内側と外側で発光及び反射させるという光の相乗効果を高めて一層煌びやかな豪華な装飾となる。
【００４１】
ことに、液体受部に注ぎ込まれた発光液は、上方から螺旋状に螺旋管内を降下し、底部より折り返して再び螺旋状に上昇するという流動的な変化をする。これにより、より一層幻想的な演出効果を発揮できる。この場合、螺旋管の一端より他端が高いため、螺旋管の一端に該当する液体受部に注ぎ込まれた発光液が、他端より溢れることはない。
【００４２】
さらに、本発明の上記装飾部は、吊支される下方に複数の装飾小片を上下方向に連続させて構成することができる。
【００４３】
上記装飾小片は、光の反射が多く得られる小片であればよく、例えば多角形のクリスタルガラス片等を用いればよい。この装飾小片の取付けに際しては、各装飾小片に吊支孔を貫通して設け、該吊支孔に吊支リングまたは吊支糸を通して複数個の装飾小片を直線状に連設して一定間隔にぶら下げた装飾連鎖体として取付けるとよい。
【発明の効果】
【００４４】
本発明の演出用スタンドは、装飾部のみでは得られない動的、且つ、変化に富んだ幻想的な演出効果を得ることができ、さらに装飾部が液体で濡れてしまうことがないため、液体の回収、装飾部の乾燥などといった演出後の後片付けが容易である。
【発明を実施するための最良の形態】
【００４５】
この発明の一実施形態を、以下図面を用いて説明する。  
（第１実施形態）  
第１実施形態における演出用テーブルスタンド１０は、図１から図７（ａ）に示すように構成している。
【００４６】
なお、図１から図５は、第１実施形態における演出用テーブルスタンド１０のそれぞれ、正面図、平面図、後述する装飾部１５を省略して示した中央縦断面図、図１におけるＡ−Ａ線視図、後述する上部の発光液受部１３を取り外した状態の平面図である。さらに、図６は、演出用テーブルスタンド１０の上側のみを示した図２におけるＢ−Ｂ線縦端面図である。図７（ａ）は、後述する貯液部１４が発光液受部１３に対して取り外された様子を断面により示した説明図である。
【００４７】
上記演出用テーブルスタンド１０における中央下部には、テーブルなどに設置可能に下方に向けて末広がり状の設置部１１が設けられ、該設置部１１から棒状の支柱１２が鉛直方向に立設されている。
【００４８】
また、上記演出用テーブルスタンド１０における上部には、図２に示すように上方から注ぎ込まれた発光液を受ける発光液受部１３を備えている。上記発光液受部１３の底部１３Ａには、図３に示すように発光液受部１３に貯液した発光液が流入して貯液する貯液部１４（１４Ａ，１４Ｂ）を具備している。
【００４９】
そして、発光液受部１３の下方には、略円筒状で半径の異なる３つの装飾部１５（１５Ａ，１５Ｂ，１５Ｃ）が支柱１２に対して同心円状に配置されている。これら３つの装飾部１５のそれぞれを、内側から外周側へ順に、内周装飾部１５Ａ、中間装飾部１５Ｂ、外周装飾部１５Ｃに設定する。
【００５０】
上記各装飾部１５は、その上下各側から当該装飾部１５を保持するために支柱１２に設けられた装飾部保持構造１６（１６Ａ，１６Ｂ）によって取り付けられている。
【００５１】
上記装飾部保持構造１６は、上記各装飾部１５を、その上側から保持する上側装飾部保持構造１６Ａと、下側から保持する下側装飾部保持構造１６Ｂとを備えている。
【００５２】
また、上述した装飾部１５は、図１に示すように複数のガラス材などの装飾小片１７ａを直線状に連設した複数本の装飾連鎖体１７から構成されている。このような装飾連鎖体１７は、その長さ方向の上端部が上側装飾部保持構造１６Ａに接続されているとともに、長さ方向の下端部が下側装飾部保持構造１６Ｂに接続されている。
【００５３】
このようにして上記各装飾部１５は、複数の装飾連鎖体１７を、上側装飾部保持構造１６Ａと下側装飾部保持構造１６Ｂとの間で周方向に並べた状態で取り付けることにより円筒状に構成している。
【００５４】
以下、上側装飾部保持構造１６Ａ、及び、下側装飾部保持構造１６Ｂの各構造について説明する。  
まず、上記上側装飾部保持構造１６Ａは、図３、及び、図５に示すように、主に、支柱１２の上端部に鍔状に取り付けられた支柱取付け部材１８、上記装飾部１５が吊下した状態で取り付けられる装飾部取付け部材２６、及び、該支柱取付け部材１８と該装飾部取付け部材２６との間を連結する連結杆２２を具備して構成される。  
上記連結杆２２は、上記支柱取付け部材１８から径外方向へ放射状に配されている。
【００５５】
上記支柱取付け部材１８は、図３、及び、図５に示すように、その外周に環状フレーム２３を具備するとともに、中央部に支柱１２の上端部に嵌め込まれる中央嵌込み部２４を具備している。さらに、上記支柱取付け部材１８は、環状フレーム２３と中央嵌込み部２４との間に、横架杆２５を横架させることにより、一体に構成している。
【００５６】
上記装飾部取付け部材２６は、半径の異なる３つのリング状の部材であり、互いに同心円状に配置されている。上記演出用テーブルスタンド１０の半径方向における、各装飾部取付け部材２６（２６Ａ，２６Ｂ，２６Ｃ）には、それぞれ上記内周装飾部１５Ａ、上記中間装飾部１５Ｂ、上記外周装飾部１５Ｃが取り付けられている。
【００５７】
ここで、上記内周装飾部１５Ａ、上記中間装飾部１５Ｂ、及び、上記外周装飾部１５Ｃを取り付けている各装飾部取付け部材２６を、順に、内周装飾部取付け部材２６Ａ、中間装飾部取付け部材２６Ｂ、外周装飾部取付け部材２６Ｃに設定する。
【００５８】
なお、上記装飾部取付け部材２６は、帯状に形成され、各装飾部１５の上下方向端部側において環状に配されている。上記装飾部取付け部材２６は、その長さ方向に沿って連続的にパンチ孔などをプレス加工などにより穿孔するなどして適宜、装飾性の高い表面模様に形成されている。
【００５９】
上記内周装飾部取付け部材２６Ａは、上記支柱取付け部材１８における上記環状フレーム２３の外周側に取り付けられている。  
さらに、中間装飾部取付け部材２６Ｂ、及び、外周装飾部取付け部材２６Ｃは、それぞれ上記連結杆２２を介して上記支柱取付け部材１８に取り付けられている。
【００６０】
また、内周装飾部取付け部材２６Ａ、中間装飾部取付け部材２６Ｂ、及び、外周装飾部取付け部材２６Ｃは、それぞれ図１、及び、図３に示すように、支柱取付け部材１８に対して装飾部取付け部材２６の幅分だけ順に、高くなるよう徐々に上方へスライドさせた状態で取り付けられている。
【００６１】
続いて、上記下側装飾部保持構造１６Ｂについて説明する。この下側装飾部保持構造１６Ｂは、上述した上側装飾部保持構造１６Ａと略同じ構成であるため、異なる構成のみを説明し、同一の構成については、省略する。
【００６２】
上記下側装飾部保持構造１６Ｂにおける支柱取付け部材１８は、図３、及び、図４に示すように、中央嵌込み部２４、及び、横架杆２５を具備せず、主に環状フレーム２３のみにより構成されている。
【００６３】
さらに、下側装飾部保持構造１６Ｂにおける支柱取付け部材１８は、直接、支柱１２に取り付いておらず、上側装飾部保持構造１６Ａとにおける支柱取付け部材１８に対して、上下方向に配した上下連結杆２９によって取り付いている。
【００６４】
なお、上述した支柱１２、設置部１１、及び、上下各側の装飾部保持構造１６における各部材の表面は、適宜、シルバーの光沢をもたせるなどして、装飾性が高くなるようメッキ処理が施されている。
【００６５】
次に、上記発光液受部１３、及び、上記貯液部１４の構成について説明する。  
上記発光液受部１３は、無色透明の合成樹脂製であり、円板状に成形されている。さらに、上記発光液受部１３の底部１３Ａは、図２、図３、及び、図６に示すように、中央から外周側へ向けて同心円状に段階的に高くなる３つの段部２７（２７Ａ，２７Ｂ，２７Ｃ）が設けられている。  
ここで、上記発光液受部１３の底部１３Ａの中央を中央部２８、該中央部２８よりも外周側の１つ目の段部２７を第一段部２７Ａ、第一段部２７Ａより外周側の２つ目の段部２７を第二段部２７Ｂ、第二段部２７Ｂより外周側の３つ目の段部２７を第三段部２７Ｃに設定するものとする。
【００６６】
さらに、上記発光液受部１３における、中央部２８と第一段部２７Ａとの上下方向の間の空間、第一段部２７Ａと第二段部２７Ｂとの上下方向の間の空間、第二段部２７Ｂと第三段部２７Ｃとの上下方向の間の空間、第三段部２７Ｃと周端部１３ｂとの上下方向の間の空間を、それぞれ中央空間部３３Ａ、第一空間部３３Ｂ、第二空間部３３Ｃ、第三空間部３３Ｄに設定するものとする。
【００６７】
また、図３に示すように、上記発光液受部１３には、その下面からガラス製の貯液部１４が突設され、該貯液部１４は、大よそ装飾部１５の上下方向中間部に達する長さで形成されている。上記貯液部１４は、上記発光液受部１３の底部１３Ａに設けられた連通部３４を通じて内部に発光液を貯液可能に有底筒状に構成されている。
【００６８】
上記連通部３４は、上記発光液受部１３の底部１３Ａに複数設けられているが、全ての連通部３４は、底部１３Ａにおける第二段部２７Ｂと第三段部２７Ｃとにそれぞれ設けられている。
【００６９】
具体的に、図２、及び、図６に示すように、第三段部２７Ｂには、４つの連通部３４が設けられ、各連通部３４は、第二段部２７Ｂを周方向において四等分配する各部位に設けられている。  
そして、第三段部２７Ｃには、８つの連通部３４が設けられ、各連通部３４は、第三段部２７Ｃをその周方向において八等分配する各部位であって、上記第二段部２７Ｂに設けられた上記各連通部３４に対して周方向に位置ずれさせた各部位に設けられている。
【００７０】
ここで、第二段部２７Ｂから下方へ突設された貯液部１４を、内側貯液部１４Ａに設定する。さらに、第三段部２７Ｃから下方へ突設された貯液部１４を、外側貯液部１４Ｂに設定するものとする。
【００７１】
また、図３、及び、図６に示すように上記発光液受部１３の周縁部１３ｂ全体は、第三段部２７Ｃにおける、上記連通部３４の縁部よりも上下方向に高い縁部に形成されている。
【００７２】
さらにまた、上記貯液部１４は、その管軸方向の先端部１４ａ（下端部）は、該先端部以外の他の部位よりも膨張した球殻形状に形成されている。
【００７３】
また、上記貯液部１４は、図６中向かって左側に示した要部拡大図、及び、図７（ａ）に示すように、発光液受部１３に対して着脱可能に形成されている。  
具体的に、上記発光液受部１３の上記連通部３４には、貯液部１４を取付け可能な筒状の貯液部取付け部３５が嵌装されている。
【００７４】
これに対して、上記貯液部１４の上部における外周部には、上記貯液部取付け部３５に対して嵌脱可能な被取付部３６を具備している。  
さらに、上記被取付部３６の外周には、シーリング用テープ３９が貼付されている。  
貯液部１４は、上記シーリング用テープ３９を具備することにより、上記貯液部１４の上記被取付部３６を、貯液部取付け部３５に嵌装したとき、これらの間の防水性を確保している。
【００７５】
また、上述した発光液受部１３は、支柱１２上端部に載置した状態で固定支持されている。具体的に、図３、及び、図６向かって右側に示した要部拡大図に示したように、支柱１２上端部には、螺子孔１２ａが穿設されている。さらに、上記支柱取付け部材１８の中央嵌込み部２４は、この螺子孔１２ａに相当する部位が開口されている。
【００７６】
これに対して、上記発光液受部１３の中央部には、螺子取付け孔１３ａが上記螺子孔１２ａと連通可能に設けられている。  
上記支柱１２の上端部に、支柱取付け部材１８の中央嵌込み部２４を装着するとともに、上記発光液受部１３を設置し、さらに螺子３８により螺子止めすることにより支柱１２と発光液受部１３とを一体化している。  
なお、螺子取付け孔１３ａの周縁には、防水用のシーリング部材３７が取り付けられているため、螺子取付け孔１３ａと螺子３８との間は、シーリングされている。
【００７７】
以下では、上述した演出用テーブルスタンド１０が奏する作用、効果について図８を用いて説明する。  
なお、図８は、上記演出用テーブルスタンド１０が奏する作用の説明図である。
【００７８】
披露宴などの式典の際に、新郎新婦、或いは、イベント主催者などの演出用テーブルスタンド１０を利用する者（以下、「利用者」という。）が、図８（ａ）に示すように適宜、別途の容器に具備した発光液Ｌを、テーブルに設置した演出用テーブルスタンド１０における上記発光液受部１３の中央部２８に向けて上方から注ぎ込む。
【００７９】
発光液Ｌが発光液受部１３に注ぎ込まれると、発光液Ｌは、中央空間部３３Ａ、及び、第一空間部３３Ｂに充填され、やがて第二空間部３３Ｃにまで達する。第二空間部３３Ｃにまで達した発光液Ｌは、図８（ｂ）に示すように各内側貯液部１４Ａの内部へ流入し、徐々に内側貯液部１４Ａに発光液Ｌが貯液されていく。
【００８０】
これにより、発光液Ｌが注ぎ込まれる上記演出用テーブルスタンド１０の下側から上方へ向けて内側貯液部１４Ａに貯液された発光液Ｌが発光し、外周装飾部１５Ｃをはじめとする各装飾部１５がその光を反射して審美性が高く、幻想的な演出効果を発揮することができる。
【００８１】
さらに、発光液Ｌが注ぎ込まれると、次第に発光液Ｌは、各内側貯液部１４Ａ、及び、第二空間部３３Ｃ全体に充填されることになる。そして、発光液Ｌが第三空間部３３Ｄにまで達すると、図８（ｃ）に示すように発光液Ｌが各外側貯液部１４Ｂの内部へも流入し、該外側貯液部１４Ｂに徐々に貯液されていく。
【００８２】
そして、図８（ｄ）に示すように、内側貯液部１４Ａ、及び、外側貯液部１４Ｂに発光液Ｌが貯液されれば、利用者は、発光液Ｌを発光液受部１３に注ぐのを停止する。
【００８３】
これにより、外側貯液部１４Ｂについても内側貯液部１４Ａの場合と同様に、演出用テーブルスタンド１０の下側から上方へ向けて貯液された発光液Ｌが発光し、殊に外周装飾部１５Ｃがその光を反射するため、装飾部１５のみで構成した場合と比較して、審美性が高く、幻想的な演出効果を発揮することができる。
【００８４】
さらに、本実施形態の演出用テーブルスタンド１０のように、半径方向の内側と外側とにそれぞれ内側貯液部１４Ａ、外側貯液部１４Ｂを配して構成することにより、はじめに内側貯液部１４Ａにのみ発光液Ｌが貯液され、ある程度の光を発した後で外側貯液部１４Ｂに発光液Ｌが貯液されるため、より一層、時間経過による光の変化を利用した動的、且つ、幻想的な演出を行うことができる。
【００８５】
しかも、第１実施形態における演出用テーブルスタンド１０は、発光液Ｌを流動させる際に、ポンプなどの循環装置を要しないため、シンプルに構成することができる。
【００８６】
さらに、第１実施形態における演出用テーブルスタンド１０は、装飾部１５と発光液Ｌとの間に発光液受部１３や貯液部１４を介することにより、装飾部１５が発光液Ｌにより濡れない状態での演出が可能となるため、演出終了後の後片付けを容易に行うことができる。
【００８７】
また、上記発光液受部１３の周縁部１３ｂにより、演出用テーブルスタンド１０が少し傾いた状態であっても、上記発光液受部１３から発光液がこぼれてしまうことなく、全ての貯液部１４に発光液を流し込むことができる。
【００８８】
さらにまた、第１実施形態における演出用テーブルスタンド１０は、上述したように発光液受部１３に対して貯液部１４が着脱可能である。このため、上述した貯液部１４は、図７（ｂ）に示すように先端部１９ａがラグビーボール状（断面楕円形状）に形成された他の形態の貯液部１９に取り換えたり、これら貯液部１４，１９を発光液受部１３に対して本数を増減させて取り付けたりすることができる。
【００８９】
これにより、セレモニーの内容や好みに応じて、発光量を任意に変更することができる。  
なお、図７（ｂ）は、他の実施形態における貯液部１９を断面により示した説明図である。
【００９０】
また、装飾小片１７ａは、多角形、多面体であることが好ましいが、他の形態であってもよい。さらに、装飾部１５は、支柱１２に対して同心円状に３層に構成するに限らず、３層以外の少なくとも貯液部１９の外側に配置している構成であればよい。
【００９１】
以下では、他の実施形態における演出用テーブルスタンドについて説明する。  
但し、以下で説明する演出用テーブルスタンドの構成のうち、上述した第１実施形態における演出用テーブルスタンド１０と同様の構成については、同一の符号を付して、その説明を省略する。
【００９２】
（第２実施形態）  
第２実施形態における演出用テーブルスタンド２０は、図９に示した形態の発光液受部４１を具備している。  
なお、図９は、第２実施形態の演出用テーブルスタンド２０における発光液受部４１の外観図である。
【００９３】
この発光液受部４１は、その底部４１Ａに隔壁部４２を備えた形態に一体成形されている。上記隔壁部４２は、発光液受部４１の中央部２８に注ぎ込まれた発光液が連通部３４に至るまでに第二段部２７Ｂ、及び、第三段部２７Ｃの全体に不必要に拡散してしまうことのないよう、第二段部２７Ｂ、及び、第三段部２７Ｃにおける連通部３４が存在しない部位、例えば、第二段部２７Ｂ、及び、第三段部２７Ｃを周方向に４等分配する各部位に設けられている。
【００９４】
隔壁部４２は、第二段部２７Ｂ、及び、第三段部２７Ｃに対して凸状に設けられるとともに、その上面は、上記発光液受部４１の周縁部４１ｂと面一に設けられている。
【００９５】
発光液受部４１は、上述したような隔壁部４２を具備しているため、不必要に発光液が充填される空間を削減することができる。
【００９６】
結果的に、上記発光液受部４１から貯液部１４へと発光液を注ぎ込む際に必要な発光液の量を減らすことができるため、第１実施形態における演出用テーブルスタンド１０と同様の演出効果を少ない量の発光液で奏することができ、通常、演出の度に廃棄されることが多い発光液の使用量を削減することができる。  
なお、上記隔壁部４２は、上述した形態に限定しない。例えば、上述した隔壁部４２における、少なくとも側面部、すなわち、注ぎ込まれた発光液が接する側の面のみを残した形態に形成することができる。具体的に、上記隔壁部４２は、中空状の形態、或いは、隔壁部４２の上面における中央部に穴部を設けた形態で形成することができる。
【００９７】
（第３実施形態）  
次に、第３実施形態における演出用テーブルスタンド３０について図１０、及び、図１１（ａ），（ｂ）を用いて説明する。  
第３実施形態における演出用テーブルスタンド３０は、発光液受部４８に対して着脱可能に取り付けた貯液部１４を、電気的発光手段としての光源部４３と交換可能に構成している。  
なお、図１０は、第３実施形態における演出用テーブルスタンド３０の発光液受部４８を平面視した状態の説明図であり、詳しくは、発光液受部４８に導線４９を配した様子を模式的に示した説明図である。さらに、図１１（ａ）は、光源部４３を発光液受部４８に取り付ける様子を示した説明図であり、図１１（ｂ）は、図１１（ａ）におけるＣ−Ｃ線視図である。
【００９８】
具体的に、図１０に示すように、発光液受部４８は、例えば、外周側面における所定箇所に、例えば、電池が嵌め込まれる電池装着部、或いは、電源を接続可能なコンセントなどの電源部４５、及び、スイッチ４４を具備している。発光液受部４８には、下面側において、これらスイッチ４４、電源部４５、及び、各光源部４３を結ぶ導線４９が配されている。
【００９９】
この複数の光源部４３を通過する導線４９は、それぞれスイッチ４４、電源部４５に対して並列に配線されている。
【０１００】
また、光源部４３を発光液受部４８に取り付けたとき、該光源部４３は、発光液受部４８側に配した上記導線４９と電気的に接続されるよう構成されている。
【０１０１】
具体的に、上記発光液受部４８における各貯液部取付け部３５の下端外周部は、図１１（ａ），（ｂ）に示すように、その外周部に、円板形状の電気的接続部材４６が鍔状に具備されている。
【０１０２】
上記電気的接続部材４６は、半径方向における所定の２部位が導電性素材により形成され、それ以外の部位は、非導電性素材により形成されている。この電気的接続部材４６の導電性素材により形成した内周側部位に位置する内周側導電性部位４６ａは、電源部４５側のプラス端子と接続された導線４９ａと接続されている。さらに、電気的接続部材４６の導電性素材により形成した外周側部位に位置する外周側導電性部位４６ｂは、電源部４５側のマイナス端子と接続された導線４９ｂと接続されている。
【０１０３】
また、上記光源部４３は、その外郭を構成するガラス管４３ａの内部にタングステンからなるフィラメント４３ｃを配した公知の電球と同様の構成であるが、その上部側（基端部側）の被取付部３６の下側には、上記貯液部取付部材３５に対して２つの通電用突出部４７，４７が半径方向外側へ突き出して構成している。
【０１０４】
通電用突出部４７は、光源部４３の被取付部３６を貯液部取付け部３５に差し込んだとき、上記電気的接続部材４６に対して下側から当接する。このとき、一方の通電用突出部４７に配した接続端子４７ａが内周側導電性部位４６ａのみに導通し、他方の通電用突出部４７に配した接続端子４７ｂが外周側導電性部位４６ｂのみに導通するよう取り付けられる。
【０１０５】
上述した構成により、第３実施形態における演出用テーブルスタンド３０は、複数の光源部４３に接続された導線４９は、スイッチ４４において一括集中されるよう配線されているため、スイッチ４４のＯＮ／ＯＦＦ操作により、全ての光源部４３が発光した状態、或いは、発光を停止した状態へ容易に切り替えることができる。
【０１０６】
また、光源部４３を貯液部取付け部３５に取り付けたときの、光源部４３（通電用突出部４７）の貯液部取付け部３５（電気的接続部材４６）に対する周方向における取り付け位置に関わらず、光源部４３から配される各接続端子４７ａ，４７ｂを、プラス側の導線４９ａ、及び、マイナス側の４９ｂのそれぞれに正確に接続することができる。
【０１０７】
しかも、光源部４３から配される各接続端子４７ａ，４７ｂは、貯液部取付け部３５の下端外周側に設けているため、発光液を用いた演出の際に使用しても、発光液が濡れて漏電してしまうおそれもない。
【０１０８】
また、上記光源部４３は、公知の方法により、点滅させるなど周期的に発光状態を変化させて用いることもできる。
【０１０９】
さらにまた、導線４９は、貯液部取付け部３５の下側に配するに限定せず、貯液部取付け部３５の内部に埋設した状態で配してもよい。
【０１１０】
（第４実施形態）  
次に、第４実施形態における演出用テーブルスタンド７０について説明する。  
第４実施形態における演出用テーブルスタンド７０は、図１２、図１３、及び、図１４に示すように構成している。
【０１１１】
なお、図１２は、斜め上方から視た一部破断線で示した演出用テーブルスタンド７０の斜視図であり、図１３は、左側片半分を中央縦断面図で示した演出用テーブルスタンド７０の正面図である。図１４は、一部破断線で示した演出用テーブルスタンド７０の平面図である。
【０１１２】
上記演出用テーブルスタンド７０は、上下方向における中央から上部にかけて発光液分配供給部材７１を備え、その下側には、上記発光液分配供給部材７１を支持する支持台７２を備えている。
【０１１３】
上記支持台７２は、例えば、透明色のアクリル部材により形成し、テーブルなどの接地面に接地可能とする円板状の支持部７２ａを下部に有し、該支持部７２ａに対して上方には、円筒状の胴部７２ｂが立設されている。
【０１１４】
上記発光液分配供給部材７１は、全体が例えば、ステンレス製であり、その底面を段状に構成している。具体的に、上記発光液分配供給部材７１の中央側には、最下段となる中央底部７３を有し、該中央底部７３の外周側には、同心円状に外側段部７４を有している。
【０１１５】
上記発光液分配供給部材７１における中央底部７３、及び、外側段部７４には、それぞれ周方向を６等分配するよう連通部３４が配設され、半径方向の内側に有する中央底部７３における連通部３４Ａ（内側連通部３４Ａ）と、半径方向の外側に有する外側段部７４における連通部３４Ｃ（外側連通部３４Ｃ）とは、互いに、周方向に位置をずらして配設している（図１４参照）。
【０１１６】
さらに、上記連通部３４には、螺合により着脱可能とする貯液部１４（内側貯液部１４Ａ、及び、外側貯液部１４Ｃ）が取り付けられている。
【０１１７】
上記中央底部７３の中央部位には、有底円筒状の発光液受部７５を、該発光液受部７５の上端部が上記発光液分配供給部材７１の上端部と略面一となる高さにまで立設されている。発光液受部７５の上部には、上方から注ぎ込みが可能に開口した注ぎ込み口部７５ａを有している。
【０１１８】
さらに、上記発光液受部７５の側面部における上下各部にも、連通部７６が構成されている（図１２、及び、図１３参照）。  
上記発光液受部７５における上側の連通部７６Ｃ（上側連通部７６Ｃ）は、上記外側段部７４の周方向における上記外側連通部３４Ｃに相当する各部位に孔状に合計６つ形成している。一方、上記発光液受部７５における下側の連通部７６Ａ（下側連通部７６Ａ）は、上記中央底部７３の周方向における上記内側連通部３４Ａに相当する各部位に孔状に合計６つ形成している。
【０１１９】
上記上側連通部７６Ｃと外側連通部３４Ｃとの間は、Ｌ字形の連結管７７Ｃ（上側連結管７７Ｃ）によって連結されている。一方、上記下側連通部７６Ａと内側連通部３４Ａとの間は、Ｌ字形の連結管７７Ａ（下側連結管７７Ａ）によって連結されている。
【０１２０】
上記各連結管７７Ａ，７７Ｃは、図１４に示すように平面視したとき、発光液受部７５から放射状に突出した形態をしている。
【０１２１】
また、上記発光液分配供給部材７１の上面には、蓋板８１を備えている。上記蓋板８１は、上記注ぎ込み口部７５ａを除いた上記発光液分配供給部材７１の内部を隠蔽可能に円板状に形成している。さらに、上記蓋板８１は、上記発光液分配供給部材７１の上面に取り付けたとき、中央部の注ぎ込み口部７５ａに相当する部位が円形に開口した開口部８１ａを有している。
【０１２２】
さらにまた、上記発光液分配供給部材７１における注ぎ込み口部７５ａの上方には、注ぎ込み口部７５ａに発光液が注ぎ込まれる前に該発光液を受ける発光液直前受部８２を備えている。
【０１２３】
上記発光液直前受部８２は、蓋板８１における開口部８１ａの縁部に設けられた保持フレーム８３によって保持されている。
【０１２４】
さらに、上記発光液直前受部８２は、装飾性に優れたクリスタルガラスにより形成し、注ぎ込まれた発光液を受けるよう中央には、上面が凹状に窪んだ凹部８２ａを有している。
【０１２５】
上記発光液直前受部８２は、注ぎ込まれた発光液が凹部８２ａから溢れ出して外側表面を伝って注ぎ込み口部７５ａの内部へと確実に流れ込むよう注ぎ込み口部７５ａの口径よりも小径に形成している。
【０１２６】
また、上記発光液分配供給部材７１における上記中央底部７３の下面側（裏面側）には、上記支持台７２における円筒状の胴部７２ｂへ嵌め込んで取り付けることのできる円筒状の嵌め込み部８４を下方へ向けて突設している。
【０１２７】
上記発光液分配供給部材７１における中央底部７３、及び、外側段部７４の各側面部の下端部には、装飾部１５（１５Ａ，１５Ｃ）を取り付けるための装飾部取付け孔２６Ａ，２６Ｃを周方向に複数、配設している。上記各装飾部取付け孔２６（２６Ａ，２６Ｃ）には、上述したように複数本の装飾連鎖体１７からなる装飾部１５Ａ，１５Ｃを垂下させている。複数本の装飾連鎖体１７は、それぞれの下端部が周方向へ滑らかな湾曲した稜線が形成される長さで垂下させている。  
なお、外周側に位置する装飾部１５Ａを外側装飾部１５Ａに設定し、内周側に位置する装飾部１５Ｃを内側装飾部１５Ａに設定する。
【０１２８】
以下では、上述した演出用テーブルスタンド７０が奏する作用、効果について図１５（ａ），（ｂ）を用いて説明する。  
なお、図１５（ａ），（ｂ）は、いずれも図１４におけるＤ−Ｄ矢視断面図の要部を示し、上記演出用テーブルスタンド７０が奏する作用の説明図である。
【０１２９】
まず図１５（ａ）に示すように利用者は、発光液Ｌを発光液直前受部８２に向けて上方から注ぎ込む。
【０１３０】
発光液直前受部８２に注ぎ込まれた発光液Ｌは、やがて発光液直前受部８２の凹部８２ａに充填され、さらに、凹部８２ａから溢れ出す。この溢れ出した発光液Ｌは、発光液直前受部８２の外側表面を伝い（経由し）ながら流下し、発光液受部７５の注ぎ込み口部７５ａの内部へと流れ込む。
【０１３１】
そして、発光液受部７５に流入した発光液Ｌは、徐々に発光液受部７５に貯液されていく。発光液受部７５に貯液された発光液Ｌは、上記下側連通部７６Ａの有する高さにまで達すると、下側連通部７６Ａを通じて下側連結管７７Ａへと流れ込み、さらに、内側連通部３４Ａを通じて内側貯液部１４Ａへと流れ込む（図１５（ａ）参照）。
【０１３２】
さらに、発光液受部７５に発光液Ｌが注ぎ込まれると、発光液Ｌは、図１５（ｂ）に示すように内側貯液部１４Ａに充填されるとともに、発光液受部７５における上側連通部７６Ｃの有する高さにまで達するため、上側連通部７６Ｃを通じて上側連結管７７Ｃへと流れ込み、外側連通部３４Ｃを通じて外側貯液部１４Ｃへと流れ込む。
【０１３３】
最終的に、内側貯液部１４Ａ、及び、外側貯液部１４Ｃに発光液Ｌが貯液されれば、利用者は、発光液Ｌを発光液受部７５に注ぐのを停止する。
【０１３４】
上述したように、本実施形態の演出用テーブルスタンド７０においても、第一実施形態における演出用テーブルスタンド１０と同様に、時間経過による光の変化を利用した動的、且つ、幻想的な演出を行うことができる。
【０１３５】
殊に、第４実施形態の演出用テーブルスタンド７０は、上述したように、中央における発光液受部７５に貯液した発光液Ｌを、連結管７７を通じて各貯液部１４に効率的に分配することができる構成である。このため、より少量の発光液Ｌで第１実施形態の演出用テーブルスタンド１０と同様の演出効果を得ることができる。
【０１３６】
さらに、第４実施形態の演出用テーブルスタンド７０は、発光液Ｌを注ぎ込む際に、まず、発光液Ｌを発光液直前受部８２から、あえて溢れさせ、その外側表面を伝わせながら発光液受部７５の内部へ流れ込ませることにより、直接、発光液受部７５に注ぎ込ませる場合と比較して、発光液Ｌを注ぎ込む様子も演出の１つとして周囲の人に視認させることができる。
【０１３７】
よって、上記演出用テーブルスタンド７０の上部の視認性、装飾性をより一層、向上させることができるとともに、貯液部１４に発光液Ｌが貯液されるまでの演出の初期段階での演出効果も高めることができるというメリットを有する。
【０１３８】
ところで、第４実施形態の演出用テーブルスタンド７０は、第１実施形態の演出用テーブルスタンド１０ように装飾部１５を下側で保持しておく下側装飾部保持構造１６Ｂを具備していない。
【０１３９】
すなわち、装飾部１５の下端部を保持せずに垂下させた形態で形成している。さらに、装飾部１５は、複数本の装飾連鎖体１７の下端部が周方向において滑らかな稜線が構成されるよう、それぞれの長さを設定して垂下させた形態で形成している。このような形態により、第１実施形態における演出用テーブルスタンドとは異なる審美性を発揮することができる。
【０１４０】
さらにまた、上記発光液分配供給部材７１は、例えば、アクリル部材などにより形成し、該発光液分配供給部材７１の内部を視認できるよう無色透明色、或いは、有色透明色に形成してもよい。これにより、例えば、上記発光液分配供給部材７１の内部において発光液Ｌが連結管７７を流れる様子や発光液受部７５に発光液Ｌが貯液する様子も含めて視認することができる。
【０１４１】
或いは、上記発光液分配供給部材７１の側面や上面などに、ホログラムシートなど装飾性の高い部材を装着しても演出効果を向上させることができる。
【０１４２】
また、発光液直前受部８２は、ワイングラスのような形態で構成してもよい。  
具体的に、発光液直前受部８２がこのように上部のグラス部分を、支柱を介して下部の支持台で支持した形態のワイングラスのような形態である場合、グラス部分を発光液受部７５の上方から突き出すよう、支持台を発光液受部７５の底部に設置させて用いることができる（図示せず）。これにより、このグラス部分を、発光液を発光液受部７５に注ぎ込む直前で受ける受部として用いることができる。
【０１４３】
また、発光液受部７５は、その内部に例えば、円錐状や球状の形態をした塊部材を具備することもできる。このような塊部材を発光液受部７５の内部に具備することにより、発光液受部７５に注ぎ込む発光液を塊部材の体積分だけ少なくしても発光液受部７５の内部を発光液で充填させることができる。このため、少ない発光液で効率的に連結管７７を通じて貯液部１４に発光液を貯液することができ、同様の演出効果を発揮させることができる。
【０１４４】
（第５実施形態）  
第５実施形態における演出用テーブルスタンド４０の構成について、図１６（ａ），（ｂ）を用いて説明する。  
なお、図１６（ａ）は、演出用テーブルスタンド４０、すなわち、発光液受部５１の平面図であり、図１６（ｂ）は、図１６（ａ）における要部のみを示したＥ−Ｅ切断端面図である。
【０１４５】
第５実施形態における演出用テーブルスタンド４０における発光液受部５１は、底部５１Ａに上記第三段部２７Ｃが形成されておらず、該第三段部２７Ｃに相当する部位は、第二段部２７Ｂと同じ高さで面一に形成されている。
【０１４６】
さらに、発光液受部５１の半径方向における外側貯液部１４Ｂと内側貯液部１４Ａとの間には、環状の固定遮断部５２が立設されている。固定遮断部５２の外側貯液部１４Ｂにおける連通部３４近傍には、開口部５２ａが形成されている。
【０１４７】
さらにまた、上記固定遮断部５２に対して発光液受部５１の半径方向内側には、可動遮断部５３が具備されている。上記可動遮断部５３は、固定遮断部５２に対して内周側において載置された弾性ウレタン製の環状の遮断環状部材５４を具備するとともに、可動遮断部５３の浮力が周方向において均等になるよう等分に配設された例えば、４つの浮き玉５５を具備している。
【０１４８】
上述した構成の発光液受部５１に発光液が注ぎ込まれると、第１実施形態の演出用テーブルスタンド１０と同様に、まず、中央空間部３３Ａ、第一空間部３３Ｂに発光液が充填される。さらに、発光液が注ぎ込まれると、遮断環状部材５４の内側へ発光液が充填されていくとともに、内側貯液部１４Ａにも発光液が充填されることになる（図示せず）。
【０１４９】
但し、遮断環状部材５４に対して内側と外側とは、該遮断環状部材５４により遮断されているため、外側貯液部１４Ｂへは、発光液は流入しない。
【０１５０】
さらに、発光液が上記発光液受部５１に注ぎ込まれると、発光液に浸った浮き玉５５の浮力により、上記可動遮断部５３は、次第に浮上していく。
【０１５１】
これにより、上記固定遮断部５２の開口部５２ａを通じて発光液が上記固定遮断部５２に対して外側へ流出し、外側貯液部１４Ｂへも発光液が流入する。
【０１５２】
このように、第５実施形態における演出用テーブルスタンド４０は、まず内側貯液部１４Ａに発光液を貯液し、その後で、外側貯液部１４Ｂへ発光液を貯液するといった第１実施形態における演出用テーブルスタンド１０と同様の一連の演出効果を奏することができる。  
なお、浮き上がった上記可動遮断部５３が開口部５２ａを塞がないよう可動遮断部５３を浮上位置で止めておくストッパを設けてもよい。
【０１５３】
（第６実施形態）  
第６実施形態における演出用テーブルスタンド５０の構成について、図１７を用いて説明する。  
なお、図１７は、演出用テーブルスタンド５０の上部を断面により示した説明図である。
【０１５４】
第６実施形態における発光液受部６１は、第三段部２７Ｃを具備せずに、上述した実施形態における発光液受部よりも小径に形成され、その周端部６１ｂは、第二段部２７Ｂの外周側に位置するよう構成されている。
【０１５５】
一方、第６実施形態における貯液部６２は、内側貯液部６２Ａの上部において外側貯液部６２Ｂが半径方向外側へ分岐している。この外側貯液部６２Ｂは、内側貯液部６２Ａから分岐部６２ａにおいて分岐させた後、下方へ向けて突出した断面Ｌ字形に形成されている。
【０１５６】
上述した構成の第６実施形態における演出用テーブルスタンド５０も、第１実施形態における演出用テーブルスタンド１０と同様の作用、効果を奏することができる。
【０１５７】
具体的に、上記発光液受部６１に発光液が注ぎ込まれると、まず、中央空間部３３Ａ、第一空間部３３Ｂに発光液が充填される。さらに、発光液が注ぎ込まれると、発光液が第二空間部３３Ｃへと達する。
【０１５８】
これにより、内側貯液部６２Ａへ流入した発光液は、まず、内側貯液部６２Ａの下部から上方へ徐々に貯液されていく。
【０１５９】
そして、上記内側貯液部６２Ａに貯液された発光液の液面が、該内側貯液部６２Ａの上部に設けた分岐部６２ａに達すると、その発光液は、外側貯液部６２Ｂ側へと流入していく。
【０１６０】
このため、外側貯液部６２Ｂにおいても発光液が下部から上方へ徐々に貯液されていくことになる。
【０１６１】
すなわち、第６実施形態における演出用テーブルスタンド５０においても、第１実施形態における演出用テーブルスタンド１０と同様に、まず内側貯液部６２Ａに発光液が貯液され、その後で、外側貯液部６２Ｂに発光液が貯液されるといった時間差を利用した一連の演出を行うことができる。
【０１６２】
また、上述したように先に内側貯液部に発光液を貯液させた後で、外側貯液部に発光液を貯液させることにより、時間経過による光の変化を利用した演出効果を奏するような構成は、上述した実施形態に限定しない。
【０１６３】
例えば、前記図１６の発光液受部５１において、固定遮断部５２、可動遮断部５３を具備せずに、第二段部２７Ｂにおける内側貯液部１４Ａに相当する外周部位のみに凹状の溝部を設けた形態であっても、上述と同様の演出効果を得ることができ、勿論、本発明には、この形態も含む。
【０１６４】
（第７実施形態）  
第７実施形態における演出用テーブルスタンド９０の構成について、図１８、図１９を用いて説明する。  
なお、図１８は、演出用テーブルスタンド９０の片側半分を中央縦断面図で示した正面図であり、図１９は、演出用テーブルスタンド９０の平面図である。
【０１６５】
演出用テーブルスタンド９０における発光液受部９１は、支持台９３の上部に取り付けられている。上記発光液受部９１は、大まかに、円錐体の底部が開口した中空円錐状に形成している。さらに、このような中空円錐状をした上記発光液受部９１は、その中央先端部に、内側（下方）に窪んだ凹状部９１ａを有している。上記発光液受部９１における上記凹状部９１ａよりも半径方向外側には、後述する貯液部９６に連通した連通部９６が配設されている。
【０１６６】
上記連通部９６Ａ，９６Ｂは、それぞれ上記発光液受部９１の半径方向における内周側部位、外周側部位にそれぞれ配設されている。
【０１６７】
さらに、上記発光液受部９１の表面における上記凹状部９１ａと上記連通部９６との間には、発光液を上記凹状部９１ａから連通部９６へガイドする溝状の発光液ガイド用溝部９１ｂを形成している。
【０１６８】
さらにまた、上記発光液受部９１における上記外周側部位に配設した上記連通部９６Ｂのさらに半径方向外側には、発光液の流下を規制する凸環状の発光液規制用凸部９１ｃを形成している。
【０１６９】
上記中空円錐状の上記発光液受部９１の中空内においては、各連通部９６Ａ，９６Ｂから管状の貯液部９２Ａ，９２Ｂが接続されている。上記貯液部９２は、その長さ方向における中途部が屈曲し、先端部が下方へ垂下した形態で上記発光液受部９１に取り付いている。
【０１７０】
また、演出用テーブルスタンド９０の外周部には、装飾体１５が取り付いている。
【０１７１】
上述したように構成される演出用テーブルスタンド９０の利用者は、まず、上記発光液受部９１における凹状部９１ａに発光液を注ぎ込む。ここで、凹状部９１ａの上端部は、該凹状部９１ａの周方向における発光液ガイド用溝部９１ｂの有する部位の上端部の高さがそれ以外の部位よりも低く凹状に形成されている。このため、凹状部９１に注ぎ込まれた発光液は、発光液ガイド用溝部９１ｂの有する凹状の部位から優先的に溢れ出し、発光液ガイド用溝部９１ｂを伝って各連通部９６へと流れ込むことになる。
【０１７２】
殊に、例えば、各発光液ガイド用溝部９１ｂごとに溝深さ、長さに差異を設けることにより、各発光液ガイド用溝部９１ｂの有する部位ごとに注ぎ込んだ発光液が凹状部９１ａから溢れ出るまで時間に差異を設けることができる。
【０１７３】
従って、演出用テーブルスタンド９０は、貯液部９２Ａ，９２Ｂごとに発光液が貯液されるまでの時間に差異を設けることができ、上述した他の実施形態と同様に時間差に応じて異なる発光量で発光させることを利用した演出効果も得ることができる。
【０１７４】
（第８実施形態）  
第８実施形態における演出用テーブルスタンド１００の構成について、図２０（ａ），（ｂ）を用いて説明する。  
なお、図２０（ａ）は、演出用テーブルスタンド１００の要部における片側半分を縦断で示した構成説明図であり、図２０（ｂ）は、演出用テーブルスタンド１００の平面図である。  
但し、上述した第７実施形態における演出用テーブルスタンド９０と同様の形態については、同一の符号を付してその説明を省略する。
【０１７５】
演出用テーブルスタンド１００における発光液受部１０１は、上述したように中空円錐状をした形態ではない。具体的に、発光液受部１０１における平面視したとき中央部には、凹状部１０１ａを備えている。さらに、発光液受部１０１の凹状部１０１ａから半径方向外側には、複数の発光液ガイド用溝部１０１ｂが放射状に突き出した形態で構成している。上記発光液ガイド用溝部１０１ｂの先端部には、発光液受部１０１の内部に配した貯液部９２Ａ，９２Ｂに連通する連通部９６Ａ，９６Ｂが形成している。
【０１７６】
上記構成によっても、第７実施形態における発光液受部９１と同様に発光液ガイド用溝部１０１ｂを伝って各連通部９６へと発光液を流れ込ませて、貯液部９２に貯液させることができる。
【０１７７】
このように、第７，８，９実施形態における演出用テーブルスタンド１００の発光液受部１０１には、凹状部１０１ａを設けず、先端部を上方へ突設した形態であってもよい。
【０１７８】
このように、本実施形態における演出用テーブルスタンド１００においても時間に応じて発光量を異ならせることによる演出効果を得ることができる。
【０１７９】
（第９実施形態）  
第９実施形態における演出用テーブルスタンド１１０の構成について、図２１（ａ），（ｂ）を用いて説明する。  
なお、図２１（ａ）は、演出用テーブルスタンド１１０の要部の端面図であり、図２０（ｂ）は、演出用テーブルスタンド１１０の平面図である。  
但し、上述した第７実施形態における演出用テーブルスタンド９０と同様の形態については、同一の符号を付してその説明を省略する。  
第９実施形態における演出用テーブルスタンド１１０は、中空円錐状をした形態をした発光液受部１１１を備えている。上記発光液受部１１１の周方向の所定部位には、発光液ガイド用溝部１１１ｂを放射状に形成している。上記発光液ガイド用溝部１１１ｂの底部は、半径方向の内側に対して外側が段状に高く形成している。  
ここで、上記発光液ガイド用溝部１１１ｂにおける半径方向の内側の底部を内側底部１１２ｂに設定するとともに、該内側底部１１２ｂよりも段状に高い外側の底部を外側底部１１２ａに設定する。
【０１８０】
上記発光液ガイド用溝部１１１ｂの上記内側底部１１２ｂ、外側底部１１２ａにおける各径外方向の端部には、それぞれ貯液部９２Ａ，９２Ｂに連通されている連通部９６Ａ，９６Ｂを形成している。
【０１８１】
上記構成により、凹状部１０１ａから溢れ出した発光液は、まず、上記発光液ガイド用溝部１１１ｂにおける内側底部１１２ｂを流下し、優先的に内側底部１１２ｂに設けた貯液部９２Ａに貯液される。発光液は、内側底部１１２ｂに設けた貯液部９２Ａに完全に貯液された後、外側底部１１２ａへと達する。そして外側底部１１２ａを流下する発光液は、外側底部１１２ａ側に設けた貯液部９２Ｂに貯液されることになる（図示せず）。
【０１８２】
このように、本実施形態における演出用テーブルスタンド１１０においても時間に応じて発光量を異ならせることによる演出効果を得ることができる。
【０１８３】
また、上述した第７，８，９実施形態における演出用テーブルスタンド９０，１００，１１０の発光液受部には、その先端部（上端部）に、凹状部１１１ａを設けず、該先端部を上方へ突設させた形態であってもよく、注ぎ込んだ発光液を受けることができる形態であればその形態は限定しない。
【０１８４】
（第１０実施形態）  
第１０実施形態における演出用テーブルスタンドの構成について、図２２を用いて説明する。  
なお、図２２は、演出用テーブルスタンドの説明図である。
【０１８５】
本実施形態における演出用テーブルスタンドの貯液部１４の内部には、発光体として複数の粒状の通電式ＬＥＤ１２２が充填されている。  
上記通電式ＬＥＤ１２２は、水Ｗに通電（接触）することにより自発的に発光する公知の通電式ＬＥＤ１２２を用いている。
【０１８６】
なお、貯液部の内部には、防水を施した公知のＬＥＤと水を感知する水感知用センサとを組み合わせて注ぎ込んだ水を上記水感知用センサが感知してＬＥＤが発光する装置を備えてもよい。
【０１８７】
さらに、本実施形態で用いる演出用テーブルスタンドは、貯液部１４の内部に通電式ＬＥＤ１２２を充填している以外は、上述した実施形態における演出用テーブルスタンドの各構成部材と同様の構成、形態であるため、その説明を省略する。
【０１８８】
上述した実施形態の演出用テーブルスタンドで発光液を注ぎ込む場合と同じ要領で発光液の代わりに水Ｗを注ぎ込む。
【０１８９】
注ぎ込んだ水Ｗは、貯液部１４に貯液されたとき、内部の通電式ＬＥＤ１２２が水Ｗに接触することにより通電し、結果的に通電式ＬＥＤ１２２は発光を誘発され、自発的に発光する。
【０１９０】
従って、貯液部１４の内部は、発光し、発光液を用いた場合と同様の演出効果を発揮することができる。
【０１９１】
殊に、このように水Ｗを用いることにより、繰り返し用いた場合にコストを低兼に抑えることができ、演出後の後片付けを容易に行うことができる。
【０１９２】
（第１１実施形態）  
第１１実施形態における演出用テーブルスタンドの構成について、図２３から図２６を用いて説明する。ここで用いられる図２３は演出用テーブルスタンド２３０の外観斜視図であり、図２４は演出用テーブルスタンド２３０の分解斜視図であり、図２５は演出用テーブルスタンド２３０の要部縦断面図であり、図２６は演出用テーブルスタンド２３０の使用状態を示す要部縦断面図である。
【０１９３】
上記演出用テーブルスタンド２３０は、内部装飾用のスタンド２３１と、外部装飾用の３個の環状枠体２３２，２３３，２３４とから構成される。
【０１９４】
上記内部装飾用のスタンド２３１は、中央下部にテーブルなどに設置可能に下方に向けて末広がり状の設置部２３５が設けられ、該設置部２３５から棒状の支柱２３６が鉛直方向に立設されている。
【０１９５】
また、上記内部装飾用のスタンド２３１における上部には、図２５に示すように、上面を開放して立設した縦長の外筒２３７を有している。該外筒２３７の内部空間には、該外筒２３７より小径の上内筒２３８と下内筒２３９とを同心円上に内蔵させて上下に連設している。
【０１９６】
これら上下に内蔵される内筒２３８，２３９の大きさは、同外径寸法を有して外筒２３７の内周面と両内筒２３８，２３９の外周面との間に、貯液用の環状空間２４０を形成する大きさに設定している。
【０１９７】
上記上内筒２３８は、上面を開放して立設した筒体であり、この筒体の中央空間が発光液受部２４１となり、図２６に示すように、ここに上方から発光液Ｌが注入される容器となる。
【０１９８】
上記下内筒２３９は、上内筒２３８と同径を有して外筒２３７の底面に密封状態に内蔵されている。また、該下内筒２３９の内部空間にはステンレス筒体のように外表面に銀色の光沢を持たせた装飾性の高い装飾素材２４２を内蔵している。
【０１９９】
また、上記外筒２３７と、両内筒２３８，２３９は、透光性を有する素材を用いて発光液受部２４１及び環状空間２４０に貯液された発光液Ｌを内部から外方へと発光させる例えば透明樹脂材を用いる。
【０２００】
このように構成された内部装飾用のスタンド２３１に、後述する外部装飾用の３個の環状枠体２３２，２３３，２３４が取付けられる。
【０２０１】
上述の外部装飾用の３個の環状枠体２３２，２３３，２３４は、大径環状枠体２３２と、中径環状枠体２３３と、小径環状枠体２３４との大きさの異なる３個の環状枠体２３２，２３３，２３４であって、これらを上記スタンド２３１に一体に組み付けることで演出用テーブルスタンド２３０が構築される。
【０２０２】
上記大径環状枠体２３２は、中央部に上記外筒２３７と略同径寸法を有する環状の連結環２４３を有し、該連結環２４３の下面に形成した周溝２４４を上記外筒２３７の上縁部２３７ａに係合させることで着脱自在に設けている。これにより、大径環状枠体２３２を内部装飾用のスタンド２３１の上部に冠着させて連結することができる。該連結環２４３の外周面からは該連結環２４３を中心とする水平方向に放射状に等分して延びる３本の支持杆２４５を介して大径リング２４６を外周部に一体に支持している。
【０２０３】
この大径リング２４６は、周方向に等間隔に図示しない取付孔を開口しており、これらの取付孔に、複数の装飾小片２４７を直線状に連設して上下方向に一定間隔にぶら下げた複数本の装飾連鎖体２４８が吊支されて取付けられる。
【０２０４】
上記装飾小片２４７は、多角形のクリスタルガラス片のような光の反射が多く得られる小片を用いる。これらの装飾小片２４７には図示省略する吊支孔を貫通して設けており、該吊支孔に吊支リング２４９を通して複数個の装飾小片２４７を上下方向に接続している。これにより、１本の装飾連鎖体２４８に設けている。
【０２０５】
このようにして上記大径環状枠体２３２は、大径リング２４６の周方向に、複数の装飾連鎖体２４８を等間隔に吊支した状態で取り付けることにより円筒状に構成している。
【０２０６】
上記中径環状枠体２３３は、大径リング２４６より小さく連結環２４３より大きい中間位の大きさの中径リング２５０と、該中径リング２５０に上記した大径リング２４６と同様の装飾連鎖体２４８を吊支して取付けている。よって、該中径環状枠体２３３は、中径リング２５０の周方向に、複数の装飾連鎖体２４８を等間隔に吊支した状態に取り付けて円筒状に構成している。
【０２０７】
また、中径リング２５０には、上記放射状配置された３本の支持杆２４５と対応する各下面に、支持杆２４５の上方より嵌り込む半円状の大きさに切欠いた係合凹部２５１をそれぞれ有している。これらの係合凹部２５１を上記支持杆２４５の上方より係合させることで、中径リング２５０を介して該中径環状枠体２３３が上記大径環状枠体２３２の内側に略同高さに環状配置されて連結される。この場合、該中径環状枠体２３３は、多数の装飾連鎖体２４８による重みと、周方向に等分配置された３本の支持杆２４５との支持作用によって均一に支持されているので安定した連結状態にある。
【０２０８】
上記小径環状枠体２３４は、連結環２４３より若干大きい小径リング２５２と、該小径リング２５２に上記した大径リング２４６及び中径リング２５０と同様の装飾連鎖体２４８が吊支されて取付けられている。よって、該小径環状枠体２３４は、小径リング２５２の周方向に複数の装飾連鎖体２４８が等間隔に吊支された状態に取り付けられて円筒状に構成されている。
【０２０９】
また、小径リング２５２には、上記中径リング２５０と同様に上記放射状配置された３本の支持杆２４５と対応する各下面に、支持杆２４５の上方より嵌り込む半円状の大きさに切欠いた係合凹部２５３をそれぞれ有している。これらの係合凹部２５３を上記支持杆２４５の上方より係合させることで、小径リング２５２を介して該小径環状枠体２３４が上記中径環状枠体２３３の内側に略同高さに環状配置されて連結される。この場合も、同様に該小径環状枠体２３４は、多数の装飾連鎖体２４８による重みと、周方向に等分配置された３本の支持杆２４５の支持作用とによって均一に支持されているので安定した連結状態にある。
【０２１０】
上記大きさの異なる３個の環状枠体２３２，２３３，２３４の装飾連鎖体２４８の吊り下げ長さは、装飾小片２４７の吊支数を異ならせて外周側を最も短くし、これより内周側を順に長くした３段階の長さに異ならせて設けている。また、各環状枠体２３２，２３３，２３４の環状方向においても装飾連鎖体２４８は、環状方向に隣接する装飾小片２４７の吊支数を長寸と短寸とに繰り返し異ならせている。これにより、装飾連鎖体２４８の高さ方向の装飾性にも変化を持たせている。
【０２１１】
このようにして、３個の大きさの異なる環状枠体２３２，２３３，２３４を一体化した際は、数多くの装飾小片２４７の集合により立体的な装飾効果が絶大であり、豪華な演出効果が得られる。ことに、径方向に３重の装飾層が形成されるだけでなく、高さ方向においても装飾性に変化を持たせているので、より一層、美観を高めることができる。なお、３個の環状枠体に限らず、２個以上の環状枠体を配置して構成することもできる。
【０２１２】
次に、演出用テーブルスタンド２３０の作用効果について説明する。  
通常、この演出用テーブルスタンド２３０は、図２４に示すように、内部装飾用のスタンド２３１と、３個の環状枠体２３２，２３３，２３４とが単一の部品として個々に分解された状態で管理されており、これらは単品として取扱うことができる。よって、運搬や管理が容易になる。
【０２１３】
そして、演出用テーブルスタンド２３０を組み立てる際は、まず、演出用テーブルの上面に内部装飾用のスタンド２３１を置き、図２５に示すように、該スタンド２３１の外筒２３７の上縁部２３７ａに、大径環状枠体２３２の中央部下面の周溝２４４を係合させる。これにより、内部装飾用のスタンド２３１の上面に大径環状枠体２３２が搭載される。
【０２１４】
続いて、大径環状枠体２３２の３本の支持杆２４５の上面に対して、中径環状枠体２３３の各係合凹部２５１を係合させる。また、小径環状枠体２３４の係合凹部２５３を係合させる。これにより、大径環状枠体２３２の上面に両環状枠体２３３，２３４が略同高さに搭載される(図２３参照)。この場合、小径環状枠体２３４と中径環状枠体２３３の搭載順序を変えても支障はなく、また３個の環状枠体２３２〜２３４を予め組み立てておいた状態で内部装飾用のスタンド２３１に一括して搭載するようにしてもよい。
【０２１５】
このようにして組み立てられた演出用テーブルスタンド２３０を使用する際は、利用者が、図２６に示すように、適宜、容器２５４に具備した発光液Ｌを、テーブルの上面に設置した演出用テーブルスタンド２３０における発光液受部２４１に向けて上方から注ぎ込む。
【０２１６】
発光液Ｌが発光液受部２４１に注ぎ込まれると、該発光液受部２４１の内部空間は徐々に充填され、該発光液受部２４１に充填されている発光液Ｌが発光する。やがて一杯になると、発光液Ｌは溢れて、その外側の貯液用の環状空間２４０へ流入し、徐々に環状空間２４０に発光液Ｌが貯液されていく。
【０２１７】
これにより、発光液Ｌが注ぎ込まれた上記演出用テーブルスタンド２３０は、下側から上方へ向けて環状空間２４０に貯液された発光液Ｌが発光領域を増して発光し、その外側の小径環状枠体２３４の装飾連鎖体２４８をはじめとする中径環状枠体２３３及び大径環状枠体２３４の各装飾連鎖体２４８が、内側からの光を反射することになり、このときの様々な反射作用により審美性が高くなり、幻想的な演出効果を発揮することができる。
【０２１８】
さらに、発光液Ｌが注ぎ込まれると、次第に発光液Ｌは、環状空間２４０の全体に充填されることになる。そして、環状空間２４０の上部にまで発光液Ｌが貯液されれば、利用者は、発光液Ｌを発光液受部２４１に注ぐのを停止する。
【０２１９】
本実施形態の演出用テーブルスタンド２３０は、径方向の内側と外側とに、発光液受部２４１としての内部空間と、その外周に隣接する環状空間２４０を配して構成することにより、はじめに発光液受部２４１にのみ発光液Ｌが貯液され、ある程度の光を発した後で外側の環状空間２４０に発光液Ｌが貯液される。このため、演出用テーブルスタンド２３０は、より一層、時間経過による光の変化を利用した動的、且つ、幻想的な演出を行うことができる。
【０２２０】
その後、演出用テーブルスタンド２３０による演出利用が終了して後片づけや清掃する場合は、内部装飾用のスタンド２３１上に搭載されている各環状枠体２３２〜２３４を持ち上げれば簡単に取外すことができる(図２４参照)。また、発光液Ｌで濡れた内部装飾用のスタンド２３１は分解されて単一部品になるので、該内部装飾用のスタンド２３１内に貯液されている発光液Ｌの清掃も容易に行える。
【０２２１】
以上のごとく、演出用テーブルスタンド２３０は、組立てや分解ができるため大型であっても小さくして運搬できるなど取扱い性が向上し、また管理が向上する。さらに、内部装飾用のスタンド２３１に３個の大きさの異なる環状枠体２３２，２３３，２３４を組み付けて演出用テーブルスタンド２３０を構築した際は、中心部の内部装飾用のスタンド２３１の発光作用と、その発光作用を外側で受ける３重の装飾層における光の反射作用とによって一層煌びやかな装飾が得られ、豪華な演出効果を得ることができる。
【０２２２】
（第１２実施形態）  
第１２実施形態における演出用テーブルスタンドの構成について、図２７を用いて説明する。ここで用いられる図２７は演出用テーブルスタンド２７０の外観斜視図である。
【０２２３】
上記演出用テーブルスタンド２７０は、内部装飾用のスタンド２７１と、外部装飾用の螺旋状枠体２７２とから構成される。  
上記内部装飾用のスタンド２７１は、中央下部にテーブルなどに設置可能に下方に向けて末広がり状の設置部２７３設けられ、該設置部２７３から棒状の支柱２７４が鉛直方向に立設されている。
【０２２４】
また、上記内部装飾用のスタンド２７１における上部には、上部リング２７５に支持された発光液受部２７６が備えられている。該上部リング２７５は、上記第１１実施形態の各リング２４６，２５０，２５２と同様に、周方向に等間隔に図示しない取付孔を開口しており、これらの取付孔に、複数の装飾小片２４７を上下方向に連続させた装飾連鎖体２４８が吊支されて取付けられている。
【０２２５】
上記装飾小片２４７も第１１実施形態と同様に多角形のクリスタルガラス片のような光の反射が多く得られる珠を用いる。また、これらの装飾小片２４７には図示省略する吊支孔が貫通して設けられており、該吊支孔に吊支リング２４９を通して複数個の装飾小片２４７が上下方向に接続されて１本の装飾連鎖体２４８を構成している。該装飾連鎖体２４８を上部リング２７５の周方向に等間隔に吊支した状態で取付けることにより上記内部装飾用のスタンド２７１を円筒状に構成している。このように構成された内部装飾用のスタンド２７１に、後述する外部装飾用の螺旋状枠体２７２が一体に取付けられる。
【０２２６】
上述の外部装飾用の螺旋状枠体２７２は、上記発光液受部２７６を囲む外周側に配置されて上下方向に螺旋状を有するステンレス等の光沢のある帯枠フレーム２７７と、該帯枠フレーム２７７の帯高さ領域内に吊支して螺旋状に配置される多数の装飾連鎖体２４８と、上記螺旋状に配置された装飾連鎖体２４８の内周面側に沿って配置される螺旋管２７８とで構成される。
【０２２７】
上記帯枠フレーム２７７は、上下方向に美観を高めた立体的な螺旋空間を構成するため、重ならない螺旋状を有し、その高さ方向の形状は上方が半径大、下方が半径小の螺旋構造となっている。
【０２２８】
上記螺旋管２７８は、底部で折り返して二重に配置され、一端が上記発光液受部２７６に連通され、他端が上記発光液受部２７６の高さより高く配置されている。ここに配置される螺旋管２７８は、柔軟で取扱い易く、しかも管内から管外への発光が可能な透光性を有する例えば透明樹脂チューブ等の素材を用いる。
【０２２９】
この螺旋管２７８は、装飾小片２４７の発光効果を高めるため、例えば上下方向に５個ならんだ装飾小片２４７の上から２番目と、４番目の裏側に位置するように配置されている。
【０２３０】
上記構成により、螺旋管２７８を二重の螺旋状に配置することができ、発光液受部２７６より螺旋管２７８内に発光液を注入した際は、発光液が発光液受部２７６より降下して底部に至るまでの降下通路２７８ａと、発光液が螺旋管２７８の底部から上端に至るまで上昇する上昇通路２７８ｂとの流下方向が異なる２本の通路が螺旋状に平行して配置されることになる。
【０２３１】
また、装飾連鎖体２４８を螺旋状に配置できるため、立体的な装飾空間をより豪華に醸し出すことができる。ことに、螺旋管２７８からの発光と、その光を受けた螺旋状配置された装飾連鎖体２４８とによる内側と外側で２段階に発光、反射させるという光の相乗効果によって、一層煌びやかな豪華な装飾となる。
【０２３２】
ことに、発光液受部２７６に注ぎ込まれた発光液は、上方から螺旋状に螺旋管２７８内を降下し、底部より折り返して再び螺旋状に螺旋管２７８内を上昇するという流動的な変化をする。これにより、より一層幻想的な演出効果を発揮できる。なお、螺旋管２７８の一端より他端が高いため、螺旋管２７８の一端に該当する発光液受部２７６に注ぎ込まれた発光液が、他端より溢れることはない。
【０２３３】
次に、このように構成された演出用テーブルスタンド２７０を使用する際は、利用者が、上記第１１実施形態の発光液の注入動作と同様に、容器に具備した発光液を、テーブルの上面に設置した演出用テーブルスタンド２７０における発光液受部２７６に向けて上方から注ぎ込む。
【０２３４】
発光液が発光液受部２７６に注ぎ込まれると、発光液は、螺旋管２７８の降下通路２７８ａ側を通って螺旋状に降下し、装飾連鎖体２４８の内側に沿って降下するため、装飾連鎖体２４８を十分に発光させる役目を有しながら降下する。やがて底部に至ると、発光液は螺旋管２７８の底部で折り返して上昇し始め、同じく上向きの上昇通路２７８ｂ側の螺旋管２７８を通って螺旋状に上昇し、装飾連鎖体２４８の内側に沿って上昇するため、同様に装飾連鎖体２４８を十分に発光させる役目を有しながら上昇する。
【０２３５】
そして、上向きの螺旋管２７８の上部にまで発光液が至ると、利用者は、発光液を発光液受部２７６に注ぐのを停止する。これにより、発光液が注ぎ込まれる上記演出用テーブルスタンド２７０は、螺旋管２７８を通る発光液の螺旋方向の流れが特有となる発光機能を有し、演出効果の高い発光作用が得られる。
【０２３６】
以上のごとく、装飾連鎖体２４８を螺旋状に配置できるので立体的な装飾空間をより豪華に醸し出すことができる。また、螺旋管２７８内に発光液を注入した際は、螺旋管２７８からの発光と、その光を受けた螺旋状の装飾連鎖体２４８とによる内側と外側で発光及び反射を行わせて、幻想的な演出効果を発揮することができる。
【０２３７】
上記第１１実施形態及び第１２実施形態で述べた装飾小片２４７に対しては、図２８に示すように、装飾小片２４７の内側対向位置にＬＥＤ(発光ダイオード)２８１を対設してもよい。このＬＥＤ２８１を電気的に発光させれば、その前方に対応する装飾小片２４７を一層煌びやかに発光させることができる。このほか、ＬＥＤ２８１を高輝度発光、点滅など様々な発光ができるように構成することもできる。
【０２３８】
また、ＬＥＤ２８１は、吊支されている多数の装飾小片２４７の特定領域に対して集中配置してもよく、千鳥状配置など任意に分散配置することもできる。さらに、ＬＥＤ２８１の発光操作に際しては、リモコン式のスイッチにより発光、消灯させるように構成することもできる。
【０２３９】
このように発明は、上述の実施形態の構成のみに限定されるものではなく、多くの実施の形態を得ることができる。
【０２４０】
なお、上述の実施形態と、この発明の構成との対応において、
この実施形態の発光液受部１３，４１，４８，５１，６１，７５，９１，１０１，１１１，２４１，２７６は、この発明の液体受部に対応し、以下同様に、
貯液部１４，９２又は、貯液部１４並びに連結管７７は、貯液部に対応し、
固定遮断部５２、及び、可動遮断部５３は、シャッターに対応し、
内側貯液部１４Ａ，９２Ａは、一部の貯液部に対応し、
内周側導電性部位４６ａ、外周側導電性部位４６ｂ、及び、各接続端子４７ａ，４７ｂは、接点に対応し、
光源部４３は、電気的発光手段に対応し、
発光液直前受部８２は、液体直前受部に対応し、
水Ｗは、発光誘発液体に対応し、
通電式ＬＥＤ１２２は、発光体に対応するものとする。
【図面の簡単な説明】
【０２４１】
【図１】第１実施形態における演出用テーブルスタンドの正面図。
【図２】第１実施形態における演出用テーブルスタンドの平面図。
【図３】第１実施形態における演出用テーブルスタンドを、一部を省略して示した中央縦断面図。
【図４】図１におけるＡ−Ａ線視図。
【図５】第１実施形態における演出用テーブルスタンドの発光液受部を省略して示した平面図。
【図６】上部のみを示した図２におけるＢ−Ｂ線切断端面図。
【図７】第１実施形態における演出用テーブルスタンドの要部説明図（ａ），  第１実施形態における演出用テーブルスタンドの他の要部説明図（ｂ）。
【図８】第１実施形態における演出用テーブルスタンドの作用説明図。
【図９】第２実施形態における演出用テーブルスタンドの要部説明図。
【図１０】第３実施形態における演出用テーブルスタンドの要部説明図。
【図１１】第３実施形態における演出用テーブルスタンドの他の要部説明図。
【図１２】第４実施形態における演出用テーブルスタンドの外観図。
【図１３】第４実施形態における演出用テーブルスタンドの外観図。
【図１４】第４実施形態における演出用テーブルスタンドの外観図。
【図１５】図１４におけるＤ−Ｄ矢視図により示した第４実施形態における演出用テーブルスタンドの作用説明図。
【図１６】第５実施形態における演出用テーブルスタンドの要部説明図。
【図１７】第６実施形態における演出用テーブルスタンドの要部説明図。
【図１８】第７実施形態における演出用テーブルスタンドの要部説明図。
【図１９】第７実施形態における演出用テーブルスタンドの要部説明図。
【図２０】第８実施形態における演出用テーブルスタンドの要部説明図。
【図２１】第９実施形態における演出用テーブルスタンドの要部説明図。
【図２２】第１０実施形態における演出用テーブルスタンドの作用説明図。
【図２３】第１１実施形態における演出用テーブルスタンドの外観斜視図。
【図２４】第１１実施形態における演出用テーブルスタンドの分解斜視図。
【図２５】第１１実施形態における演出用テーブルスタンドの要部縦断面図。
【図２６】第１１実施形態における演出用テーブルスタンドの使用状態を示す要部縦断面図。
【図２７】第１２実施形態における演出用テーブルスタンドの外観斜視図。
【図２８】装飾小片に対する電気的な発光構造の一例を示す説明図である。
【符号の説明】
【０２４２】
１０，２０，３０，４０，５０，７０，９０，１００，１１０，２３０，２７０…演出用テーブルスタンド
１３，４１，４８，５１，６１，７５，９１，１０１，１１１，２４１，２７６…発光液受部
１３Ａ，４１Ａ，４８Ａ，５１Ａ，６１Ａ…発光液受部の底部
１３ｂ，４１ｂ，４８ｂ，５１ｂ，６１ｂ…発光液受部の周縁部
１４，１９，６２，９２…貯液部
１５…装飾部
２７…段部
３４，７６，９６…連通部
３５…貯液部取付け部
３６…被取付部
４２…隔壁部
４３…光源部
４４…スイッチ
５２…固定遮断部
５３…可動遮断部
７７…連結管
８２…発光液直前受部
１２２…通電式ＬＥＤ
２３２，２３３，２３４…環状枠体
２４７…装飾小片
２４８…装飾連鎖体
２７２…螺旋状枠体
２７８…螺旋管
【図１】
2008210772.tif 000003
【図２】
2008210772.tif 000004
【図３】
2008210772.tif 000005
【図４】
2008210772.tif 000006
【図５】
2008210772.tif 000007
【図６】
2008210772.tif 000008
【図７】
2008210772.tif 000009
【図８】
2008210772.tif 000010
【図９】
2008210772.tif 000011
【図１０】
2008210772.tif 000012
【図１１】
2008210772.tif 000013
【図１２】
2008210772.tif 000014
【図１３】
2008210772.tif 000015
【図１４】
2008210772.tif 000016
【図１５】
2008210772.tif 000017
【図１６】
2008210772.tif 000018
【図１７】
2008210772.tif 000019
【図１８】
2008210772.tif 000020
【図１９】
2008210772.tif 000021
【図２０】
2008210772.tif 000022
【図２１】
2008210772.tif 000023
【図２２】
2008210772.tif 000024
【図２３】
2008210772.tif 000025
【図２４】
2008210772.tif 000026
【図２５】
2008210772.tif 000027
【図２６】
2008210772.tif 000028
【図２７】
2008210772.tif 000029
【図２８】
2008210772.tif 000030